(57)【要約】【課題】磁性部材が磁石から受ける磁力を変化させる。【解決手段】光ディスク装置の本体ケースの内部に、スピンドルモータ８、ターンテーブル９、クランパ１０を有するディスククランプ装置１６を設ける。ターンテーブル９のコア部９ｂ内部に、磁石１８を２個埋め込む。クランパ１０の上面凹部に、鉄板２１、移動板２２、コイルバネ２３、蓋カバー２４を組み込む。鉄板２１を、磁石１８に近接する近接位置と、近接位置よりも磁石１８から離れる離れ位置との間で、上下方向に移動自在にクランパ１０に取り付ける。移動板２２は、コイルバネ２３によりクランパ１０の中心部に向けて付勢されると、鉄板２１を離れ位置に位置させる。スピンドルモータ８が回転すると、遠心力により、移動板２２がクランパ１０の外周側に移動して、鉄板２１は、磁石１８の磁気により、離れ位置から近接位置まで下方に移動する。【選択図】図８
2008016147.tif 000002
【特許請求の範囲】
【請求項１】
ディスクを回転させるスピンドルモータと、
前記スピンドルモータに取り付けられ、前記ディスクを保持するとともに、磁石が設けられたターンテーブルと、
磁性部材が設けられ、前記磁石の磁力により前記磁性部材が吸着されて前記ターンテーブルとの間に前記ディスクを挟持するクランパと、を備えたディスククランプ装置において、
前記ターンテーブルと前記クランパとによる前記ディスク挟持後の前記スピンドルモータの少なくとも最初の回転時に、その回転による遠心力を受けて、前記磁性部材が前記磁石から受ける磁力を、回転前の磁力よりも強くする磁力調整手段を備えることを特徴とするディスククランプ装置。
【請求項２】
前記磁石と前記磁性部材との少なくとも一方は、前記スピンドルモータの回転軸方向において他方との距離が変化するように移動自在に設けられ、
前記磁力調整手段は、前記スピンドルモータ回転による遠心力を受けて、前記磁石と前記磁性部材との少なくとも一方を他方に近接する方向に移動させる移動機構を備えることを特徴とする請求項１記載のディスククランプ装置。
【請求項３】
前記移動機構は、
前記ディスクの径方向に移動自在に設けられ、前記ディスクの内周方向に移動したときに、前記磁石と前記磁性部材との少なくとも一方を他方から離れる方向に移動させる移動部材と、
前記移動部材を前記ディスクの内周方向に向けて付勢する付勢部材と、を備え、
前記スピンドルモータ回転による遠心力を受けて、前記移動部材が前記付勢部材の付勢に抗して前記ディスクの外周方向に移動したときに、前記磁石の磁力により、前記磁石と前記磁性部材との少なくとも一方は他方に近接する方向に移動することを特徴とする請求項２記載のディスククランプ装置。
【発明の詳細な説明】
【技術分野】
【０００１】
本発明は、ターンテーブルとクランパとの間にディスクを挟持するディスククランプ装置に関するものである。
【背景技術】
【０００２】
光ディスク装置には、ＣＤ、ＤＶＤなどの光ディスクが記憶媒体として用いられている。光ディスク装置は、光ディスクを装填するディスクトレイを、本体ケースに対して移動自在に組み込み、光ディスクの着脱時にはディスクトレイを本体ケース外に引き出し、使用時にはディスクトレイを本体ケース内に格納するように構成される。本体ケース内には、ディスクトレイ上に装填された光ディスクを高速で回転させるスピンドルモータが設けられている。スピンドルモータには、光ディスクを保持するとともに、磁石が埋め込まれたターンテーブルが取り付けられており、本体ケース内には、ターンテーブルの磁石の磁力により吸引される磁性体としての鉄板が設けられたクランパが配されている。
【０００３】
スピンドルモータが取り付けられたベース板金は、ターンテーブルにより光ディスクを保持する保持位置と、保持を解除する保持解除位置との間で変位可能に設けられており、ディスクトレイが本体ケース内に収納されると、ベース板金は保持位置まで変位し、ディスクトレイを本体ケース外に引き出すときには、ベース板金は保持解除位置まで変位する。ベース板金が、保持位置まで変位すると、クランパの鉄板が、ターンテーブルの磁石の磁力により吸引され、光ディスクは、ターンテーブルとクランパとの間で挟持された状態となる。光ディスク交換時には、ベース板金を保持解除まで変位させて、ターンテーブルとクランパとを引き離した後、ディスクトレイを本体ケース外に引き出す。
【０００４】
スピンドルモータにより光ディスクを高速で回転させると、光ディスク自体のアンバランスによる振動、外部からの振動や衝撃等により、光ディスクがターンテーブルから離れてしまう。このため、光ディスクがターンテーブルから離れることがないように、ターンテーブルに、磁力の大きい磁石を埋め込むことが考えられている。
【０００５】
しかしながら、光ディスクの有無に係わらず、ディスクトレイが本体ケース内に収納されると、クランパの鉄板が、ターンテーブルの磁石の磁力により吸引されるため、磁石の磁力を大きくすると、吸引するときのチャッキング音が大きくなり、ユーザに不快感を与えてしまうという問題があった。特に、ディスクが装填されていないディスクトレイを、本体ケース内に収納したときには、ターンテーブルとクランパとの距離が短くなるため、一層大きなチャッキング音が発生してしまう。このため、磁石の磁力を大きくすることなく、ディスク回転時のディスククランプ力を高めることができる技術が提案されている。
【０００６】
特許文献１では、クランパーの上方に、引張りばねの力によりディスク回転中心に向けて付勢された固定ブロックを設け、モータが回転すると、モータの回転による遠心力を受けて、引張ばねの付勢に抗して固定ブロックが外側に開き、クランパーの上面に当接するチャッキング装置が提案されている。このチャッキング装置では、固定ブロックがクランパーの上面に当接することにより、クランパーの浮き上がりを防止している。
【０００７】
また、特許文献２では、クランプ部材の上方に、ばねにより当接部がクランパ本体の中心から遠ざかる方向に回転する力を加えられたアームを設け、スピンドルモータが回転すると、その回転による遠心力がアームに作用して、アームの当接部がターンテーブルの傾斜面に当接するまで回動し、アームが傾斜面から下方向への力を受けて、その下方向への力によりクランプ部材を下方に押圧するディスククランプ装置が提案されている。このディスククランプ装置では、クランプ部材を下方に押圧することにより、クランプ部材の浮き上がりを防止している。
【０００８】
さらに、特許文献３では、ディスクをクランプする通常の第１クランプ機構とは別に、ディスクが回転するとその遠心力でディスクをクランプするクランパと、ディスクの回転が停止するとクランパによるディスククランプを自動解除する復帰機構部と、で構成される第２クランプ機構を、ターンテーブルに組み込んだディスクのクランプ装置が提案されている。
【特許文献１】特開２０００−２６８４５９号公報
【特許文献２】特開２０００−３３９８０３号公報
【特許文献３】特開２０００−１６３８３７号公報
【発明の開示】
【発明が解決しようとする課題】
【０００９】
しかしながら、特許文献１〜３では、複雑な機構が必要であり、さらには、ディスク回転中に、外部からの振動や衝撃等により、特許文献１では固定ブロックがディスク回転中心に向けて移動し、特許文献２ではアームの当接部がクランパ本体の中心から遠ざかる方向に回転し、特許文献３では復帰機構部がクランパによるディスククランプを自動解除することがあり、このような場合には、ディスク回転中のディスククランプ力が低下してしまうという問題があった。
【００１０】
本発明は、上記課題を解決するためになされたものであり、磁石により磁性部材を吸引するときのチャッキング音を小さくしながらも、スピンドルモータ回転時に確実にディスクをクランプすることができるディスククランプ装置を提供することを目的とする。
【課題を解決するための手段】
【００１１】
上記目的を達成するために、本発明のディスククランプ装置は、ディスクを回転させるスピンドルモータと、前記スピンドルモータに取り付けられ、前記ディスクを保持するとともに、磁石が設けられたターンテーブルと、磁性部材が設けられ、前記磁石の磁力により前記磁性部材が吸着されて前記ターンテーブルとの間に前記ディスクを挟持するクランパと、を備えたディスククランプ装置において、前記ターンテーブルと前記クランパとによる前記ディスク挟持後の前記スピンドルモータの少なくとも最初の回転時に、その回転による遠心力を受けて、前記磁性部材が前記磁石から受ける磁力を、回転前の磁力よりも強くする磁力調整手段を備えることを特徴とする。なお、本発明は、ピックアップによりディスクに記録された情報の再生や記録を行うディスク装置に組み込まれることが好ましい。また、前記ターンテーブルと前記クランパとの少なくとも一方は、他方に係合して前記ディスクを挟持する挟持位置と、この挟持位から退避して前記ディスクの挟持を解除する退避位置との間で移動自在に設けられ、前記ディスク挟持後の前記スピンドルモータの最初の回転時は、前記ターンテーブルと前記クランパとの移動自在な一方が、前記退避位置から前記挟持位置に移動した後の最初の回転であることが好ましい。
【００１２】
なお、前記ディスクとしては、ＣＤ、ＤＶＤ、デュアルディスク、ＳＡＣＤ（ハイブリッド・ディスク）等が挙げられる。また、前記磁性部材としては、鉄製の鉄板や鉄を含む樹脂製のプレート等が挙げられる。
【００１３】
また、前記磁石と前記磁性部材との少なくとも一方は、前記スピンドルモータの回転軸方向において他方との距離が変化するように移動自在に設けられ、前記磁力調整手段は、前記スピンドルモータ回転による遠心力を受けて、前記磁石と前記磁性部材との少なくとも一方を他方に近接する方向に移動させる移動機構を備えることが好ましい。
【００１４】
さらに、前記移動機構は、前記ディスクの径方向に移動自在に設けられ、前記ディスクの内周方向に移動したときに、前記磁石と前記磁性部材との少なくとも一方を他方から離れる方向に移動させる移動部材と、前記移動部材を前記ディスクの内周方向に向けて付勢する付勢部材と、を備え、前記スピンドルモータ回転による遠心力を受けて、前記移動部材が前記付勢部材の付勢に抗して前記ディスクの外周方向に移動したときに、前記磁石の磁力により、前記磁石と前記磁性部材との少なくとも一方は他方に近接する方向に移動することが好ましい。
【発明の効果】
【００１５】
本発明のディスククランプ装置によれば、ディスクを回転させるスピンドルモータと、スピンドルモータに取り付けられ、ディスクを保持するとともに、磁石が設けられたターンテーブルと、磁性部材が設けられ、磁石の磁力により磁性部材が吸着されてターンテーブルとの間にディスクを挟持するクランパと、ターンテーブルとクランパとによるディスク挟持後のスピンドルモータの少なくとも最初の回転時に、その回転による遠心力を受けて、磁性部材が磁石から受ける磁力を、回転前の磁力よりも強くする磁力調整手段を備えるから、チャッキング音発生時に磁性部材が磁石から受ける磁力は相対的に小さくなるため、チャッキング音を小さくすることができ、さらには、スピンドルモータ回転による遠心力を受けて、磁性部材が磁石から受ける磁力が大きくなるため、スピンドルモータ回転時に確実にディスクをクランプすることができる。
【００１６】
また、磁石と磁性部材との少なくとも一方は、スピンドルモータの回転軸方向において他方との距離が変化するように移動自在に設けられ、磁力調整手段は、スピンドルモータ回転による遠心力を受けて、磁石と磁性部材との少なくとも一方を他方に近接する方向に移動させる移動機構を備えるから、移動機構により磁石と磁性部材との距離を調整するだけで、容易に、磁性部材が磁石から受ける磁力を調整することができる。
【発明を実施するための最良の形態】
【００１７】
図１及び図２に本発明を用いた光ディスク装置２の外観を示す。光ディスク装置２は、ＣＤ（コンパクトディスク）３にアクセスして、ＣＤ３にデータの記録及び／または再生を行うものであり、パソコン等に組み込まれる。なお、光ディスク装置２は、ＤＶＤ等も再生可能である。
【００１８】
光ディスク装置２の本体ケース４の内部には、ディスクトレイ５、光ピックアップ６、ピックアップベース７、スピンドルモータ８、ターンテーブル９、クランパ１０、回路基板等を含むプレーヤユニット１１が組み込まれている。本体ケース４は、上カバー４ａ及び下カバー４ｂから構成されている（図４参照）。なお、光ピックアップ６、ピックアップベース７、スピンドルモータ８、ターンテーブル９、クランパ１０は、図１及び図２では図示を省略し、図３及び図４で図示している。また、図１は、ディスクトレイ５が、ＣＤ３再生時に本体ケース４内部に格納される格納位置に位置する状態を示し、図２は、ディスクトレイ５が、本体ケース４外部に露出される露出位置に位置する状態を示している。
【００１９】
本体ケース４の前面には、ディスクトレイ５開閉用の開閉スイッチ１２が設けられている。また、開閉スイッチ１２の周辺には、再生スイッチや停止スイッチ等の各種スイッチが設けられており、これら開閉スイッチ１２を含む複数のスイッチは、光ディスク装置２の主制御を行う制御部１３に接続されている。なお、開閉スイッチ１２を含むスイッチを、本体ケース４の前面に設けずに、光ディスク装置２が組み込まれるパソコンに設けるようにしてもよい。
【００２０】
ディスクトレイ５は、ＣＤ３再生時に本体ケース４内部に格納される格納位置（図１参照）と、本体ケース４外部に露出される露出位置（図２参照）との間で移動可能に設けられており、図示しないトレイ移動機構により移動される。ディスクトレイ５を移動させるときには、開閉スイッチ１２を操作する。
【００２１】
図３に示すように、ディスクトレイ５は、ＣＤ３が装填されるものであり、ＣＤ３の外径に対応した窪みが形成されている。ディスクトレイ５の中心部には、格納位置に位置するときにスピンドルモータ８及びターンテーブル９が挿通される挿通孔５ａが形成され、この挿通孔５ａに連続して、光ピックアップ６がＣＤ３にアクセスするためのアクセス開口５ｂが形成されている。
【００２２】
ピックアップベース７には、光ピックアップ６、スピンドルモータ８が取り付けられている。ピックアップベース７は、図示しないベース移動機構により、ＣＤ３を保持して再生する再生位置（図７参照）と、再生位置から退避してＣＤ３の保持を解除する退避位置（図４参照）との間で移動自在に設けられている。ディスクトレイ５を格納位置から露出位置まで移動させるときには、ベース移動機構は、ピックアップベース７を退避位置に移動させ、ディスクトレイ５を露出位置から格納位置まで移動させるときには、ベース移動機構は、ディスクトレイ５が格納位置まで移動した後に、ピックアップベース７を再生位置に移動させる。
【００２３】
光ピックアップ６は、発光素子から照射されたレーザ光をＣＤ３の記録面に集光する対物レンズ１４が組み込まれており、ピックアップベース７に取り付けられた保持シャフト１５に移動自在に保持されている。光ピックアップ６は、公知のピックアップ移動機構により、ＣＤ３の径方向である保持シャフト１５の軸方向（図３におけるＡ方向）に移動される。
【００２４】
図４に示すように、本体ケース４の内部には、スピンドルモータ８、ターンテーブル９、クランパ１０を有するディスククランプ装置１６が設けられている。スピンドルモータ８には、ターンテーブル９が取り付けられている。ターンテーブル９は、ＣＤ３が載せられる円盤状のテーブル本体部９ａの上面に、ＣＤ３の保持及び位置決めを行うコア部９ｂが形成されている。テーブル本体部９ａの上面には、再生時のＣＤ３の滑りを防止する滑り止めシート１７が取り付けられている。
【００２５】
コア部９ｂには、クランパ１０の係合凸部１０ｄが挿入される係合孔９ｃが形成されている。コア部９ｂ内部には、リング状の永久磁石を２極着磁した磁石１８が埋め込まれている。なお、磁石１８の形状や個数は、これに限定されることなく、適宜変更可能である。
【００２６】
上カバー４ａには、２段の段付き状のカバー凹部４ｃが形成されており、カバー凹部４ｃの底面には、クランパ１０の本体部１０ａが挿入されるクランパ挿入孔が形成されている。
【００２７】
図４、図５及び図６に示すように、クランパ１０は、本体部１０ａと鍔部１０ｂとを備えて構成されている。本体部１０ａは上カバー４ａのクランパ挿入孔よりも小さい径で形成され、鍔部１０ｂはクランパ挿入孔よりも大きい径で形成されている。本体部１０ａの底面には、ターンテーブル９のコア部９ｂが挿入される挿入凹部１０ｃが形成されており、挿入凹部１０ｃには、係合孔９ｃに挿入される係合凸部１０ｄが立設されている。
【００２８】
本体部１０ａの上面には、上面凹部１０ｅが形成されており、上面凹部１０ｅには、移動板２２の移動を規制する移動規制凸部１０ｆと、蓋カバー２４を取り付けるための取付凸部１０ｇと、が立設されている。取付凸部１０ｇには、取付孔１０ｈが形成されている。上面凹部１０ｅには、磁性体からなる磁性部材としての鉄板２１と、移動板２２と、コイルバネ２３と、蓋カバー２４と、が組み込まれる。移動板２２及びコイルバネ２３は、それぞれ２個設けられている。
【００２９】
鉄板（磁性部材）２１は、ターンテーブル９内部に埋め込まれた磁石１８の磁気により吸引されるものであり、中心部に取付凸部１０ｇが挿通される挿通孔２１ａが形成されたリング状に形成されている。鉄板２１の側面には、下方に向けて次第に内側（中心側）に傾斜した傾斜面２１ｂが、全周に亘って形成されている。挿通孔２１ａは、取付凸部１０ｇの外径よりも若干大きい径で形成されている。これにより、鉄板２１は、上下方向に移動自在にクランパ１０に取り付けられる。鉄板２１は、詳しくは後述するように、磁石１８に近接する近接位置（図８参照）と、近接位置よりも磁石１８から離れる離れ位置（図４及び図７参照）との間で、上下方向（ターンテーブル９の回転軸方向）に移動する。鉄板２１が磁石１８の磁気により吸引されると、クランパ１０がターンテーブル９に保持される。
【００３０】
上面凹部１０ｅには、移動板２２の移動を案内するガイドリブ１０ｉが２本立設されている。移動板２２は、２本のガイドリブ１０ｉの間に、取付凸部１０ｇを中心に左右に１個ずつ計２個配されている。移動板２２は、鉄板２１の受けとなる受け部２２ａと、コイルバネ２３が挿入されるバネ挿入凹部２２ｂと、が形成されている。受け部２２ａは、傾斜面２１ｂと同じ傾斜角度で傾斜されて形成されている。
【００３１】
コイルバネ２３は、移動板２２を付勢するものであり、２個のコイルバネ２３を、バネ挿入凹部２２ｂに挿入すると、２個の移動板２２は、それぞれクランパ１０の中心部に向けて付勢される。そして、移動板２２は、移動規制凸部１０ｆに当接することで、移動が規制される。コイルバネ２３の付勢により、移動板２２が移動規制凸部１０ｆに当接しているときには、鉄板２１は、傾斜面２１ｂが受け部２２ａに当接して、上方に移動されて離れ位置に位置する。なお、コイルバネ２３のバネ荷重は、磁石１８の磁気により鉄板２１を吸引する吸引力よりも、移動板２２を付勢して移動板２２により鉄板２１を上方に移動させる移動力の方が大きくなるバネ荷重で、且つ、ＣＤ３再生時（スピンドルモータ８回転時）にクランパ１０が回転したときの遠心力を受けて、移動板２２がコイルバネ２３の付勢に抗してクランパ１０の外周側に移動するバネ荷重に設定されている。
【００３２】
蓋カバー２４は、鉄板２１、移動板２２及びコイルバネ２３を覆うものであり、中心部には、ビス挿通孔２４ａが形成されている。上面凹部１０ｅに、鉄板２１、移動板２２及びコイルバネ２３を組み込んだ状態で、ビス２５を、ビス挿通孔２４ａを挿通させて取付孔１０ｈにビス締めすると、蓋カバー２４は、鉄板２１、移動板２２及びコイルバネ２３を覆った状態でクランパ１０に取り付けられる。コイルバネ２３は、一端が移動板２２に当接し、他端が蓋カバー２４の内周面に当接した状態で組み込まれている。
【００３３】
図４に示すように、ディスクトレイ５が露出位置に位置するときには、ピックアップベース７は退避位置に位置する。ピックアップベース７が退避位置に位置するときには、クランパ１０内の鉄板２１が、ターンテーブル９内部に埋め込まれた磁石１８の磁気を受けないため、鉄板２１は、コイルバネ２３により付勢される移動板２２により、上方に移動され、離れ位置に位置する。
【００３４】
図７に示すように、ディスクトレイ５が格納位置まで移動すると、ピックアップベース７が再生位置まで移動する。ピックアップベース７が再生位置まで移動すると、ターンテーブル９のコア部９ｂがクランパ１０の挿入凹部１０ｃに挿入されるとともに、係合凸部１０ｄが係合孔９ｃに挿入される。この状態では、鉄板２１が磁石１８の磁気により保持されるとともに、ＣＤ３の上面にクランパ１０の下面が当接し、ＣＤ３は、ターンテーブル９とクランパ１０との間に挟持される。これにより、ＣＤ３の上下方向の位置決めが行われる。そして、ＣＤ３再生時に、スピンドルモータ８が回転すると、ＣＤ３、ターンテーブル９、クランパ１０が共に回転する。
【００３５】
ピックアップベース７が再生位置に位置し、スピンドルモータ８が回転していない状態（クランパ１０が回転していない状態）では、磁石１８の磁気により鉄板２１を吸引する吸引力よりも、コイルバネ２３により付勢される移動板２２により鉄板２１を上方に移動させる移動力の方が大きいため、鉄板２１は離れ位置に位置する。
【００３６】
図８及び図９に示すように、スピンドルモータ８が回転してクランパ１０が回転すると、その遠心力を受けて、移動板２２がコイルバネ２３の付勢に抗して、クランパ１０の外周側に移動する。移動板２２がクランパ１０の外周側に移動すると、鉄板２１は、磁石１８の磁気により吸引され、離れ位置から近接位置まで下方に移動する。
【００３７】
スピンドルモータ８の回転が停止してクランパ１０の回転が停止すると、図７に示すように、磁石１８の磁気により鉄板２１を吸引する吸引力よりも、コイルバネ２３による付勢される移動板２２により鉄板２１を上方に移動させる移動力の方が大きいため、鉄板２１は近接位置から離れ位置まで上方に移動する。
【００３８】
ピックアップベース７を再生位置から退避位置まで移動させるには、磁石１８の磁気による鉄板２１の保持（吸引）を解除する必要がある。鉄板２１が離れ位置に位置するときには、鉄板２１が近接位置に位置するときに比べて、鉄板２１が磁石１８の磁気により吸引される力が弱くなる。これにより、鉄板２１が離れ位置に位置するときには、鉄板２１が近接位置に位置するときに比べて、上記解除に必要な力を小さくすることができる。
【００３９】
また、ピックアップベース７が退避位置から再生位置まで移動すると、鉄板２１が磁石１８の磁気により吸引されてクランパ１０がターンテーブル９のコア部９ｂに当接するため、いわゆるチャッキング音が発生する。鉄板２１が離れ位置に位置するときには、鉄板２１が近接位置に位置するときに比べて、鉄板２１が磁石１８の磁気により吸引される力が弱くなる。これにより、鉄板２１が離れ位置に位置するときには、鉄板２１が近接位置に位置するときに比べて、上記チャッキング音を小さくすることができる。
【００４０】
上記のように構成された光ディスク装置２の作用について説明する。ＣＤ３を再生させるには、先ず、開閉スイッチ１２を操作して、ディスクトレイ５を、格納位置から露出位置まで移動させる。ディスクトレイ５が格納位置に位置するときには、ピックアップベース７は再生位置に位置している。ピックアップベース７が再生位置に位置するときには、鉄板２１は磁石１８の磁気により吸引されている。この状態では、クランパ１０が回転していない（スピンドルモータ８が回転していない）ため、上記したように、鉄板２１は離れ位置に位置する。
【００４１】
開閉スイッチ１２を操作すると、ベース移動機構は、ピックアップベース７を退避位置に移動させる。ピックアップベース７が退避位置に移動した後、トレイ移動機構は、ディスクトレイ５を格納位置から露出位置まで移動させる。そして、ディスクトレイ５にＣＤ３を装填した後、開閉スイッチ１２を操作すると、トレイ移動機構は、ディスクトレイ５を格納位置に移動させる。
【００４２】
ディスクトレイ５が格納位置に移動した後、ベース移動機構は、ピックアップベース７を退避位置から再生位置まで移動させる。ピックアップベース７が再生位置に移動した後、再生スイッチを操作すると、スピンドルモータ８が回転する。スピンドルモータ８の回転により、クランパ１０が回転すると、その遠心力を受けて、移動板２２が、コイルバネ２３の付勢に抗してクランパ１０の外周側に移動する。移動板２２がクランパ１０の外周側に移動すると、鉄板２１は、磁石１８の磁気により、離れ位置から近接位置まで下方に移動する。鉄板２１が、近接位置に移動すると、鉄板２１が離れ位置に位置するとき（スピンドルモータ８回転停止時）に比べて、鉄板２１が磁石１８から受ける磁力（鉄板２１が磁石１８の磁気により吸引される力）が強くなる。
【００４３】
このように、ピックアップベース７が退避位置から再生位置に移動するときは、鉄板２１が離れ位置に位置するから、鉄板２１が近接位置に固定されている従来のディスククランプ装置に比べて、チャッキング音を小さくすることができ、チャッキング音の発生によりユーザに与える不快感を低減することができる。
【００４４】
また、クランパ１０回転時（スピンドルモータ８回転時）には、鉄板２１を近接位置に位置させ、クランパ１０回転停止時（スピンドルモータ８回転停止時）には、鉄板２１を離れ位置に位置させるようにしたから、スピンドルモータ８回転時には、スピンドルモータ８回転停止時に比べて、鉄板２１が磁石１８から受ける磁力（鉄板２１が磁石１８の磁気により吸引される力）を強くすることができる。これにより、スピンドルモータ８回転時のターンテーブル９とクランパ１０とによるＣＤ３挟持力を、スピンドルモータ８回転停止時よりも強くすることができ、さらには、ピックアップベース７を再生位置から退避位置に向けて移動させ、磁石１８の磁気による鉄板２１の吸引を解除するときにベース移動機構にかかる負荷を低減することができるという効果も有する。
【００４５】
なお、上記実施形態では、スピンドルモータ８が回転停止すると、鉄板２１が近接位置から離れ位置に移動し、鉄板２１が磁石１８から受ける磁力が小さくなる形態を例に説明したが、本発明はこれに限定されるものではない。例えば、ディスクトレイ５が格納位置に移動した後、スピンドルモータ８の最初の回転時の遠心力を受けて、鉄板２１が離れ位置から近接位置まで移動した後には、スピンドルモータ８の回転／停止に関わらずに鉄板２１は近接位置のまま（移動板２２が外周側に移動したまま）であってもよい。
【００４６】
この形態の場合、ピックアップベース７が再生位置から退避位置まで移動し、磁石１８の磁気による鉄板２１の吸引が解除されると、コイルバネ２３の付勢により移動板２２が鉄板２１を離れ位置に移動させる。これにより、ピックアップベース７が退避位置から再生位置に移動するときには、鉄板２１は離れ位置に位置するため、上記実施形態と同様に、チャッキング音を小さくすることができる。その後のスピンドルモータ８の最初の回転時に、鉄板２１が離れ位置から近接位置に移動する。そして、ピックアップベース７が再生位置から退避位置に移動されるまでは、鉄板２１は近接位置に位置し続けるため、その間は大きなＣＤ３把持力が維持される。この形態では、上記実施形態よりも磁石１８の磁気による鉄板２１の吸引を解除するための力が増大するため、ピックアップベース７を移動させるベース移動機構等の強度を考慮する必要がある。
【００４７】
なお、スピンドルモータ８が回転停止したときに、鉄板２１が近接位置から離れ位置に移動するようにするか、近接位置に位置し続けるようにするかは、磁石１８の磁力、磁石１８と鉄板２１との距離、スピンドルモータ８の回転速度、コイルバネ２３のバネ荷重等を適宜選択することで決定される。
【００４８】
また、上記実施形態では、移動板２２及びコイルバネ２３を２個設けたが、これに限定されることなく、コイルバネ２３の付勢により、移動板２２が鉄板２１を離れ位置に移動させることができればよく、これらの個数は適宜変更可能である。
【００４９】
さらに、上記実施形態では、鉄板２１を近接位置と離れ位置との間で移動させたが、磁石１８を移動自在に設け、スピンドルモータ８回転時の遠心力を受けて、磁石１８が鉄板２１に近付くように移動するようにしてもよく、さらには、磁石１８と鉄板２１との両者を移動自在に設け、スピンドルモータ８回転時の遠心力を受けて、磁石１８と鉄板２１とが互いに近付くように移動するようにしてもよい。
【００５０】
また、上記実施形態では、磁石１８と鉄板２１との距離を調整することで、鉄板２１が磁石１８から受ける磁力を調整するようにしたが、本発明はこれに限定されるものではない。例えば、磁性体材料からなる磁力調整部材が、磁石１８と鉄板２１との間に挿脱されるようにしてもよい。
【００５１】
図１０及び図１１に他の実施形態を示す。上記実施形態のものと同様の構成部材には同一の符号を付し、その詳細な説明を簡略化する。なお、図１０及び図１１（Ａ）は、スピンドルモータ８回転停止時を示し、図１１（Ｂ）は、スピンドルモータ８回転時を示している。この実施形態では、ターンテーブル９のコア部９ｂ内部には、磁石１８に加えて、鉄板２１を磁石１８に近付く方向へ、すなわち近接位置へ強制的に移動させる強制移動手段としての電磁石３０が１８０°ピッチで２個埋め込まれている。ターンテーブル９には、電磁石３０に流れる電流を制御するＣＰＵ等が設けられた制御基板３１が取り付けられている。２個の電磁石３０は、それぞれ図示しない接続ケーブルにより制御基板３１に接続されている。
【００５２】
クランパ１０の上面凹部１０ｅには、鉄板２１が磁石１８に近付く方向に移動したこと、すなわち近接位置へ移動したこと（移動板２２がクランパ１０の外周側に移動したこと）を検知する検知手段としてのスイッチ３２が配されている。このスイッチ３２は、無線により制御基板３１に接続されており、移動シャフト３２ａが押圧されたスイッチオンのとき（図１１（Ｂ）参照）にはスイッチオン信号を、移動シャフト３２ａが押圧されていないスイッチオフのとき（図１１（Ａ）参照）にはスイッチオフ信号を、制御基板３１に出力する。
【００５３】
図１１（Ａ）に示すように、クランパ１０回転停止時（スピンドルモータ８回転停止時）には、移動シャフト３２ａは移動板２２により押圧されておらず、スイッチ３２は、スイッチオフ信号を制御基板３１に出力する。そして、図１１（Ｂ）に示すように、クランパ１０回転時（スピンドルモータ８回転時）には、その遠心力を受けて、移動板２２が、コイルバネ２３の付勢に抗してクランパ１０の外周側に移動する。移動板２２がクランパ１０の外周側に移動すると、移動板２２が移動シャフト３２ａに当接して、移動シャフト３２ａを押圧する。移動シャフト３２ａが押圧されると、スイッチ３２は、スイッチオン信号を制御基板３１に出力する。
【００５４】
ところで、スピンドルモータ８が回転したときに、何らかの不具合が生じて移動板２２が外周側に移動せず、鉄板２１が近接位置に移動しなかった場合、ＣＤ３を強力に挟持することができない。このため、制御基板３１は、スピンドルモータ８の回転開始時、スイッチ３２からのスイッチオン信号の入力を監視している。そして、スピンドルモータ８の回転開始後、所定時間（例えば、１０秒）経過しても、スイッチ３２からスイッチオン信号が入力されていない場合は、制御基板３１は、鉄板２１が離れ位置から近接位置に移動していないと判断して、電磁石３０をオンにする。電磁石３０がオンになると、鉄板２１に作用する磁気的吸着力は、磁石１８によるものだけでなく、電磁石３０によるものも付加され、鉄板２１はさらに強い力で磁石１８側に引き寄せられる。
【００５５】
鉄板２１がさらに強い力で磁石１８側に引き寄せられると、移動板２２が外周側に移動して、鉄板２１が近接位置に移動するとともに、移動板２２が移動シャフト３２ａに当接して、スイッチ３２から制御基板３１にスイッチオン信号が入力される。制御基板３１は、電磁石３０をオンにした後、スイッチ３２からスイッチオン信号が入力されたことに応答して、鉄板２１が近接位置に移動したと判断し、電磁石３０をオフにする。なお、制御基板３１は、電磁石３０をオンにした後、所定時間（例えば、５秒）経過しても、スイッチ３２からスイッチオン信号が入力されなかった場合には、エラーを報知するようにしてもよい。
【００５６】
このように、本実施形態では、スピンドルモータ８が回転しているにも関わらず、何らかの不具合により移動板２２が移動シャフト３２ａに当接するまで外周側に移動せず、鉄板２１が近接位置まで移動しなかった場合でも、電磁石３０をオンにして鉄板２１を強制的に近接位置まで引き寄せることができ、スピンドルモータ８回転中は、ターンテーブル９とクランパ１０とによりＣＤ３を強力に挟持することができる。
【００５７】
また、電磁石３０は、強制的に鉄板２１を近接位置まで移動させるためだけに用いられ、鉄板２１が近接位置に移動した後に電磁石３０はオフにされるから、電磁石３０のオン時間は短時間で済む。したがって、電磁石３０を使用することによる消費電力量の増大については心配せずともよい。
【００５８】
なお、制御基板３１が、スピンドルモータ８回転開始のたびに、上記した電磁石３０の制御を行うようにしてもよく、さらには、ディスクトレイ５が格納位置に移動され、ターンテーブル９とクランパ１０とによりＣＤ３を挟持した後のスピンドルモータ８の最初の回転時のみ、上記した電磁石３０の制御を行うようにしてもよい。
【００５９】
また、上記実施形態では、ディスクトレイ５を備えた光ディスク装置２に本発明を適用した場合を例に説明したが、本発明は、スロットインタイプのようなディスクトレイを備えていない光ディスク装置にも適用可能である。
【図面の簡単な説明】
【００６０】
【図１】本発明を実施した光ディスク装置の外観斜視図である。
【図２】ディスクトレイが露出位置に位置するときの光ディスク装置を示す外観斜視図である。
【図３】ディスクトレイが露出位置に位置するときの光ディスク装置の内部構造を示す上面図である。
【図４】ピックアップベースが退避位置に位置するときの光ディスク装置の内部構造を示す側面断面図である。
【図５】クランパと鉄板と移動板とビスとを示す分解斜視図である。
【図６】クランパと移動板とコイルバネとを示す上面図である。
【図７】ピックアップベースが再生位置に位置するときの光ディスク装置の内部構造を示す側面断面図である。
【図８】スピンドルモータ回転時の光ディスク装置の内部構造を示す側面断面図である。
【図９】スピンドルモータ回転時のクランパと移動板とコイルバネとを示す上面図である。
【図１０】電磁石を用いた実施形態のピックアップベースが退避位置に位置するときの光ディスク装置の内部構造を示す側面断面図である。
【図１１】図１０に示す実施形態のクランパと移動板とコイルバネとスイッチとを示す上面図である。
【符号の説明】
【００６１】
２  光ディスク装置
３  ＣＤ（光ディスク）
４  本体ケース
５  ディスクトレイ
７  ピックアップベース
８  スピンドルモータ
９  ターンテーブル
１０  クランパ
１６  ディスククランプ装置
１８  磁石
２１  鉄板（磁性部材）
２２  移動板（移動部材）
２３  コイルバネ（付勢部材）
【図１】
2008016147.tif 000003
【図２】
2008016147.tif 000004
【図３】
2008016147.tif 000005
【図４】
2008016147.tif 000006
【図５】
2008016147.tif 000007
【図６】
2008016147.tif 000008
【図７】
2008016147.tif 000009
【図８】
2008016147.tif 000010
【図９】
2008016147.tif 000011
【図１０】
2008016147.tif 000012
【図１１】
2008016147.tif 000013